(57)【要約】【課題】個人情報流出のリスクを低減する。【解決手段】外部装置に画像ファイルを送信可能なスキャン装置では、読取対象の原稿寸法が、設定寸法以下である場合に、パスワード付きの画像ファイルが生成され、その画像ファイルが、外部装置に送信される。免許証等の個人情報が記載された原稿の多くは、カードサイズであるため、設定寸法をカードサイズに設定すれば、免許証等の画像ファイルに、パスワードが設定される。これにより、免許証等の画像ファイルが誤送信されても、個人情報流出のリスクを低減できる。また、設定条件を満たした場合には、パスワード無しの画像ファイルを生成してもよい。詳しくは、信頼性の高い外部装置への画像ファイル送信時には、読取対象の原稿寸法が設定寸法以下であっても、パスワード無しの画像ファイルが生成される。これにより、信頼性の高い外部装置では、パスワードを用いなくても、画像ファイルを利用でき、便利である。【選択図】図６
2015070493.tif 000002
【特許請求の範囲】
【請求項１】
原稿に記された画像の一部を読み取り、読み取り信号を出力する読取装置と、
外部装置と通信可能な通信部と、
前記外部装置を識別するための識別情報を記憶する記憶部と、
ユーザ操作に応じた信号を出力する操作部と、
制御装置と、
を備えたスキャン装置であって、
前記制御装置は、
前記読取装置から受信した前記読み取り信号から画像データを含むファイルである画像ファイルを生成する画像ファイル生成手段と、
前記画像ファイル生成手段によって生成された画像ファイルを前記通信部を介して外部装置へ送信する画像ファイル送信手段と、
前記読取装置によって読み取られる画像の記された原稿の寸法が、予め設定された設定寸法以下であるか否かを判断する原稿寸法判断手段と、
を有し、
前記操作部からスキャン指令に対応する信号を受信すると、
前記画像ファイル生成手段は、前記原稿寸法判断手段によって原稿の寸法が前記設定寸法以下であると判断された場合は、前記読取装置が出力した前記読み取り信号から、パスワードが付与された画像ファイルを生成し、
前記画像ファイル送信手段は、前記記憶部に記憶された識別情報によって識別される外部装置に前記画像ファイル生成手段によって生成された画像ファイルを送信することを特徴とするスキャン装置。
【請求項２】
原稿に記された画像の一部を読み取り、読み取り信号を出力する読取装置と、
外部装置と通信可能な通信部と、
前記外部装置を識別するための識別情報を記憶する記憶部と、
ユーザ操作に応じた信号を出力する操作部と、
制御装置と、
を備えたスキャン装置であって、
前記制御装置は、
前記読取装置から受信した前記読み取り信号から画像データを含むファイルである画像ファイルを生成する画像ファイル生成手段と、
前記画像ファイル生成手段によって生成された画像ファイルを前記通信部を介して外部装置へ送信する画像ファイル送信手段と、
前記読取装置によって読み取られる画像の記された原稿の寸法が、予め設定された設定寸法以下であるか否かを判断する原稿寸法判断手段と、
を有し、
前記操作部からスキャン指令に対応する信号を受信すると、
前記画像ファイル生成手段は、前記原稿寸法判断手段によって原稿の寸法が前記設定寸法以下であると判断された場合は、予め設定された設定条件を満たさない限り、前記読取装置が出力した前記読み取り信号から、パスワードが付与された画像ファイルを生成し、
前記画像ファイル送信手段は、前記記憶部に記憶された識別情報によって識別される外部装置に前記画像ファイル生成手段によって生成された画像ファイルを送信することを特徴とするスキャン装置。
【請求項３】
前記設定条件は、
前記画像ファイル送信手段により送信予定の外部装置が、前記画像ファイル送信手段によって設定回数以上、画像ファイルが送信された外部装置であることを含む請求項２に記載のスキャン装置。
【請求項４】
前記識別情報は、前記通信部を介した外部装置との通信において外部装置を識別するものであり、
前記制御装置は、
前記通信部を介して外部装置から任意の外部装置に係る識別情報を受信する、識別情報受信手段と、
前記識別情報受信手段により受信した識別情報を前記記憶部に記憶させる記憶制御手段とを有し、
前記設定条件は、前記画像ファイル送信手段により送信予定の外部装置に係る識別情報が、前記識別情報受信手段により、当該識別情報により識別される外部装置から受信された識別情報であることを含む請求項２又は請求項３に記載のスキャン装置。
【請求項５】
前記制御装置が、
前記通信部を介して前記外部装置からのスキャン指令を受信した場合は、
前記画像ファイル生成手段は、
前記原稿寸法判断手段によって原稿の寸法が前記設定寸法以下であると判断され、かつ、前記設定条件を満たさないときであっても、前記読取装置が出力した前記読み取り信号から、パスワードが付与されていない画像ファイルを生成することを特徴とする請求項２乃至請求項４の何れか１項に記載のスキャン装置。
【請求項６】
前記設定条件は、前記制御装置が前記画像ファイル送信手段による送信予定の外部装置から、過去に前記スキャン指令を前記通信部介して受信したことであることを含む請求項５に記載のスキャン装置。
【請求項７】
前記スキャン装置は、
前記設定寸法より大きな原稿を、前記読取装置が備える読取素子の対向領域を経由するよう搬送するための第１搬送経路と、
前記設定寸法以下の原稿を前記読取素子の対向領域を経由するよう搬送するための第２搬送経路と、
を備え、
前記原稿寸法判断手段は、
原稿が前記第２搬送経路を搬送された場合に、原稿の寸法が前記設定寸法以下であると判断することを特徴とする請求項１乃至請求項６の何れか１項に記載のスキャン装置。
【請求項８】
前記操作部は、
入力媒体の接近若しくは接触の検出を示す検出信号を出力する複数の操作ボタンを有し、
前記記憶部は、
複数の前記外部装置の各々を識別するための複数の識別情報を記憶するとともに、前記複数の操作ボタンと前記複数の識別情報とを対応付けて記憶し、
前記制御装置が、
前記複数の操作ボタンの１つから前記検出信号を受信すると、
前記画像ファイル送信手段は、
前記制御装置が受信した検出信号の出力元である操作ボタンに対応する識別情報によって識別される外部装置に、画像ファイルを送信することを特徴とする請求項１乃至請求項７の何れか１項に記載のスキャン装置。
【請求項９】
前記スキャン装置は、
表示装置を有していないことを特徴とする請求項１乃至請求項８の何れか１項に記載のスキャン装置。
【請求項１０】
原稿に記された画像の一部を読み取り、読み取り信号を出力する読取装置と、外部装置と通信可能な通信部と、前記外部装置を識別するための識別情報を記憶する記憶部と、ユーザ操作に応じた信号を出力する操作部と、を備えたスキャン装置のコンピュータが読み取り可能なプログラムであって、
前記読取装置から受信した前記読み取り信号から画像データを含むファイルである画像ファイルを生成する画像ファイル生成手段と、
前記画像ファイル生成手段によって生成された画像ファイルを前記通信部を介して外部装置へ送信する画像ファイル送信手段と、
前記読取装置によって読み取られる画像の記された原稿の寸法が、予め設定された設定寸法以下であるか否かを判断する原稿寸法判断手段と、
して前記コンピュータを機能させ、
前記コンピュータが、前記操作部からスキャン指令に対応する信号を受信すると、
前記画像ファイル生成手段は、前記原稿寸法判断手段によって原稿の寸法が前記設定寸法以下であると判断された場合は、前記読取装置が出力した前記読み取り信号から、パスワードが付与された画像ファイルを生成し、
前記画像ファイル送信手段は、前記記憶部に記憶された識別情報によって識別される外部装置に前記画像ファイル生成手段によって生成された画像ファイルを送信することを特徴とするプログラム。
【請求項１１】
原稿に記された画像の一部を読み取り、読み取り信号を出力する読取装置と、外部装置と通信可能な通信部と、前記外部装置を識別するための識別情報を記憶する記憶部と、ユーザ操作に応じた信号を出力する操作部と、を備えたスキャン装置のコンピュータが読み取り可能なプログラムであって、
前記読取装置から受信した前記読み取り信号から画像データを含むファイルである画像ファイルを生成する画像ファイル生成手段と、
前記画像ファイル生成手段によって生成された画像ファイルを前記通信部を介して外部装置へ送信する画像ファイル送信手段と、
前記読取装置によって読み取られる画像の記された原稿の寸法が、予め設定された設定寸法以下であるか否かを判断する原稿寸法判断手段と、
して前記コンピュータを機能させ、
前記コンピュータが、前記操作部からスキャン指令に対応する信号を受信すると、
前記画像ファイル生成手段は、前記原稿寸法判断手段によって原稿の寸法が前記設定寸法以下であると判断された場合は、予め設定された設定条件を満たさない限り、前記読取装置が出力した前記読み取り信号から、パスワードが付与された画像ファイルを生成し、
前記画像ファイル送信手段は、前記記憶部に記憶された識別情報によって識別される外部装置に前記画像ファイル生成手段によって生成された画像ファイルを送信することを特徴とするプログラム。
【発明の詳細な説明】
【技術分野】
【０００１】
本発明は、外部装置と通信可能なスキャン装置、および、スキャン装置のコンピュータが読み取り可能なプログラムに関する。
【背景技術】
【０００２】
近年、スキャン装置によって原稿の読み取りを行って、原稿の読み取りにより生成された画像データを含むファイルである画像ファイルを、ネットワークを介して、外部装置に送信するための技術が提案されている。下記特許文献には、そのような技術の一例が記載されている。
【先行技術文献】
【特許文献】
【０００３】
【特許文献１】特開２００２−２３２６３９号公報
【発明の概要】
【発明が解決しようとする課題】
【０００４】
しかしながら、上記特許文献に記載の技術には次のような問題があった。詳しくは、スキャン装置によって、クレジットカード，免許証，名刺，会員証等の個人情報が多く記載された原稿がスキャンされる場合に、そのような個人情報が多く記載された原稿の画像ファイルが、ユーザが意図しない外部装置に誤送信されると、個人情報が漏えいする虞がある。本発明は、そのような事情に鑑みてなされたものであり、画像ファイルが誤送信された場合の個人情報流出のリスクを低減する技術を提供する。
【課題を解決するための手段】
【０００５】
上記課題を解決するために、本発明のスキャン装置は、原稿に記された画像の一部を読み取り、読み取り信号を出力する読取装置と、外部装置と通信可能な通信部と、前記外部装置を識別するための識別情報を記憶する記憶部と、ユーザ操作に応じた信号を出力する操作部と、制御装置と、を備えたスキャン装置であって、前記制御装置は、前記読取装置から受信した前記読み取り信号から画像データを含むファイルである画像ファイルを生成する画像ファイル生成手段と、前記画像ファイル生成手段によって生成された画像ファイルを前記通信部を介して外部装置へ送信する画像ファイル送信手段と、前記読取装置によって読み取られる画像の記された原稿の寸法が、予め設定された設定寸法以下であるか否かを判断する原稿寸法判断手段と、を有し、前記操作部からスキャン指令に対応する信号を受信すると、前記画像ファイル生成手段は、前記原稿寸法判断手段によって原稿の寸法が前記設定寸法以下であると判断された場合は、前記読取装置が出力した前記読み取り信号から、パスワードが付与された画像ファイルを生成し、前記画像ファイル送信手段は、前記記憶部に記憶された識別情報によって識別される外部装置に前記画像ファイル生成手段によって生成された画像ファイルを送信することを特徴とする。
【０００６】
上記課題を解決するために、本発明のスキャン装置は、原稿に記された画像の一部を読み取り、読み取り信号を出力する読取装置と、外部装置と通信可能な通信部と、前記外部装置を識別するための識別情報を記憶する記憶部と、ユーザ操作に応じた信号を出力する操作部と、制御装置と、を備えたスキャン装置であって、前記制御装置は、前記読取装置から受信した前記読み取り信号から画像データを含むファイルである画像ファイルを生成する画像ファイル生成手段と、前記画像ファイル生成手段によって生成された画像ファイルを前記通信部を介して外部装置へ送信する画像ファイル送信手段と、前記読取装置によって読み取られる画像の記された原稿の寸法が、予め設定された設定寸法以下であるか否かを判断する原稿寸法判断手段と、を有し、前記操作部からスキャン指令に対応する信号を受信すると、前記画像ファイル生成手段は、前記原稿寸法判断手段によって原稿の寸法が前記設定寸法以下であると判断された場合は、予め設定された設定条件を満たさない限り、前記読取装置が出力した前記読み取り信号から、パスワードが付与された画像ファイルを生成し、前記画像ファイル送信手段は、前記記憶部に記憶された識別情報によって識別される外部装置に前記画像ファイル生成手段によって生成された画像ファイルを送信することを特徴とする。
【０００７】
上記課題を解決するために、本発明のプログラムは、原稿に記された画像の一部を読み取り、読み取り信号を出力する読取装置と、外部装置と通信可能な通信部と、前記外部装置を識別するための識別情報を記憶する記憶部と、ユーザ操作に応じた信号を出力する操作部と、を備えたスキャン装置のコンピュータが読み取り可能なプログラムであって、前記読取装置から受信した前記読み取り信号から画像データを含むファイルである画像ファイルを生成する画像ファイル生成手段と、前記画像ファイル生成手段によって生成された画像ファイルを前記通信部を介して外部装置へ送信する画像ファイル送信手段と、前記読取装置によって読み取られる画像の記された原稿の寸法が、予め設定された設定寸法以下であるか否かを判断する原稿寸法判断手段と、して前記コンピュータを機能させ、前記コンピュータが、前記操作部からスキャン指令に対応する信号を受信すると、前記画像ファイル生成手段は、前記原稿寸法判断手段によって原稿の寸法が前記設定寸法以下であると判断された場合は、前記読取装置が出力した前記読み取り信号から、パスワードが付与された画像ファイルを生成し、前記画像ファイル送信手段は、前記記憶部に記憶された識別情報によって識別される外部装置に前記画像ファイル生成手段によって生成された画像ファイルを送信することを特徴とする。
【０００８】
上記課題を解決するために、本発明のプログラムは、原稿に記された画像の一部を読み取り、読み取り信号を出力する読取装置と、外部装置と通信可能な通信部と、前記外部装置を識別するための識別情報を記憶する記憶部と、ユーザ操作に応じた信号を出力する操作部と、を備えたスキャン装置のコンピュータが読み取り可能なプログラムであって、前記読取装置から受信した前記読み取り信号から画像データを含むファイルである画像ファイルを生成する画像ファイル生成手段と、前記画像ファイル生成手段によって生成された画像ファイルを前記通信部を介して外部装置へ送信する画像ファイル送信手段と、前記読取装置によって読み取られる画像の記された原稿の寸法が、予め設定された設定寸法以下であるか否かを判断する原稿寸法判断手段と、して前記コンピュータを機能させ、前記コンピュータが、前記操作部からスキャン指令に対応する信号を受信すると、前記画像ファイル生成手段は、前記原稿寸法判断手段によって原稿の寸法が前記設定寸法以下であると判断された場合は、予め設定された設定条件を満たさない限り、前記読取装置が出力した前記読み取り信号から、パスワードが付与された画像ファイルを生成し、前記画像ファイル送信手段は、前記記憶部に記憶された識別情報によって識別される外部装置に前記画像ファイル生成手段によって生成された画像ファイルを送信することを特徴とする。
【発明の効果】
【０００９】
本発明のスキャン装置、および、プログラムでは、読取対象の原稿寸法が、設定寸法以下である場合に、パスワードが付与された画像ファイルが生成され、その画像ファイルが、外部装置に送信される。クレジットカード，免許証，名刺，会員証等の個人情報が多く記載された原稿の多くは、カードサイズであるため、設定寸法をカードサイズに設定すれば、クレジットカード，免許証等の画像ファイルに、パスワードが設定される。これにより、クレジットカード，免許証等の画像ファイルが誤送信された場合であっても、個人情報流出のリスクを低減することが可能となる。
【００１０】
また、予め設定された条件を満たした場合には、パスワード無しの画像ファイルを生成することが可能である。詳しくは、信頼性の高い外部装置、例えば、複数回、画像ファイルを送信したことのある外部装置等へ画像ファイルを送信する際には、読取対象の原稿寸法が、設定寸法以下であっても、パスワード無しの画像ファイルが生成される。これにより、信頼性の高い外部装置では、パスワードを用いることなく、画像ファイルが含む画像データに基づく画像を閲覧することが可能となり、便利である。
【図面の簡単な説明】
【００１１】
【図１】通信システム１のブロック図である。
【図２】スキャナ５０の斜視図である。
【図３】スキャナ５０の選択ボタンの送信先を設定する際のシーケンス図である。
【図４】ログイン画面１００を示す図である。
【図５】宛先設定画面１０２を示す図である。
【図６】プッシュスキャン処理を実行する際のシーケンス図である。
【図７】プルスキャン処理を実行する際のシーケンス図である。
【図８】スキャナ５０の動作フローチャートを示す図である。
【図９】スキャナ５０の動作フローチャートを示す図である。
【発明を実施するための形態】
【００１２】
＜通信システムの構成＞
図１に、本願に係る実施形態として例示される通信システム１のブロック図を示す。通信システム１は、ＰＣ（Personal computerの略）（本発明の外部装置の一例）１０、ＰＣ（本発明の外部装置の一例）１１、スキャナ（本発明のスキャン装置の一例）５０を備える。ＰＣ１０、１１、および、スキャナ５０は、既知の無線ＬＡＮ端末装置としての機能を備える。
【００１３】
ＰＣ１０とＰＣ１１とは、同じ構成であるため、ＰＣ１０の構成を代表して説明する。ＰＣ１０は、ＣＰＵ（Central Processing Unitの略）１２、記憶部１４、無線ＬＡＮＩ／Ｆ１６、パネル１８、ボタン入力部２０を主に備えている。これらの構成要素は、入出力ポート３０を介して互いに通信可能とされている。
【００１４】
無線ＬＡＮＩ／Ｆ１６は、無線ＬＡＮ方式のインフラストラクチャーモード（複数の無線ＬＡＮ端末装置が、アクセスポイントを介してデータ通信するモード）に準拠する無線通信（電波を用いたデータ通信）４０を行うことが可能とされている。すなわち、ＰＣ１０は、スキャナ５０が備えるアクセスポイントへアクセスし、無線ＬＡＮ方式の無線通信４０を行える状態になれば、スキャナ５０と直接、データ通信することが可能になる。
【００１５】
ＣＰＵ１２は、記憶部１４内の制御プログラム３２に従って処理を実行する。制御プログラム３２は、スキャナ５０とデータ通信を行うためのプログラムである。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。また、記憶部１４は、データ記憶領域３４を備える。データ記憶領域３４は、画像ファイルなどを記憶する領域である。
【００１６】
ボタン入力部２４は、キーボードにより構成されており、ユーザによるボタン操作を受け付ける。パネル１８は、データ通信等を利用して取得した画像、ボタン入力部２４により入力された文字等を表示する。
【００１７】
スキャナ５０は、図２に示すように、スキャナ本体５２とカバー５４とによって構成されており、カバー５４は、スキャナ本体５２の上面に開閉可能に設けられている。図２は、カバー５４が開けられた状態のスキャナ５０を示す斜視図である。
【００１８】
スキャナ５０は、原稿を読み取り、スキャンデータを作成する装置である。スキャナ５０には、スキャナ本体５２の上面に原稿台５６が設けられており、原稿台５６は、カバー５４を開けた状態で露出する。その原稿台５６にセットされた原稿は、第１挿入口（本発明の第１搬送経路の一例）５８からスキャナ本体５２内に挿入され、画像が読み取られることで、スキャンデータが作成される。なお、第１挿入口５８から挿入される原稿の読取可能な最大サイズは、Ａ４サイズとされている。
【００１９】
また、スキャナ５０には、第１挿入口５８とは異なる第２挿入口（本発明の第２搬送経路の一例）６０が設けられている。第２挿入口６０は、スキャナ本体５２の背面側に設けられており、カバー５４が閉じられた状態で、第２挿入口６０に原稿を挿入することが可能となっている。なお、第２挿入口６０から挿入される原稿の読取可能な最大サイズは、名刺サイズとされている。つまり、名刺サイズ以下の原稿であれば、第２挿入口６０から挿入することで、読取可能とされている。また、第２挿入口６０から挿入される原稿は、比較的硬い材質の原稿であっても読取可能とされている。具体的には、プラスチック等により成形されたクレジットカード，免許証等を読取可能とされている。
【００２０】
スキャナ５０は、図１に示すように、ＣＰＵ（本発明の制御装置およびコンピュータの一例）６２、記憶部（本発明の記憶部の一例）６４、ボタン入力部（本発明の操作部の一例）６６、読取装置（本発明の読取装置の一例）６８、原稿検出センサ７０、ＵＳＢホストＩ／Ｆ７２、ＵＳＢファンクションＩ／Ｆ７４、無線ＬＡＮＩ／Ｆ（本発明の通信部の一例）７６を主に備えている。これらの構成要素は、入出力ポート７８を介して互いに通信可能とされている。
【００２１】
読取装置６８は、イメージセンサ（本発明の読取素子の一例）７９を有している。第１挿入口５８から挿入された原稿、及び、第２挿入口６０から挿入された原稿は、イメージセンサ７９の対向領域を経由して搬送される。イメージセンサ７９は対向領域の画像を読み取り、アナログ形式の読取り信号を出力する。アナログ形式の読取り信号は読取り装置は図示しないＡＤコンバータにより、デジタル形式に変換され、画像データとなる。なお、ＣＰＵ６２は、画像データを適宜変換、及びヘッダ領域を付与することで、その画像データを含む画像ファイルを作成する。また、原稿検出センサ７０は、第２挿入口６０に設けられており、第２挿入口６０に原稿が挿入されたか否かを検出する。
【００２２】
ＵＳＢホストＩ／Ｆ７２及びＵＳＢファンクションＩ／Ｆ７４は、共にＵＳＢ規格のインターフェースである。ＵＳＢホストＩ／Ｆ７２には、ＵＳＢメモリ８０が着脱可能となっている。すなわち、ＵＳＢホストＩ／Ｆ７２にＵＳＢメモリ８０が装着されることで、作成された画像ファイルをＵＳＢメモリ８０に記憶させることができる。なお、ＵＳＢ規格のインターフェースを有していればハードディスクなど他の記録媒体でも利用可能となっている。ＵＳＢファンクションＩ／Ｆ７４は、ＵＳＢケーブル８２を介して、ＰＣ１１に接続されている。これにより、スキャナ５０は、ＵＳＢケーブル８２を介して、ＰＣ１１との間でデータ通信を行うことができる。無線ＬＡＮＩ／Ｆ６８は、無線ＬＡＮ方式のインフラストラクチャーモードに準拠する無線通信４０を、ＰＣ１０及びＰＣ１１との間で行う。これにより、スキャナ５０は、無線通信４０を介して、ＰＣ１０及びＰＣ１１との間でデータ通信を行うことができる。
【００２３】
ボタン入力部６６は、スキャナ５０を操作するためのものであり、図２に示すように、主電源スイッチ８４と、３個の選択ボタン（本発明の操作ボタンの一例）８６，８８，９０を有している。主電源スイッチ８４は、スキャナ５０の電源のＯＮ／ＯＦＦを切り換えるためのスイッチである。３個の選択ボタン８６，８８，９０は、画像ファイルの送信先を選択するためのボタンである。
【００２４】
ＣＰＵ６２は、記憶部６４内の制御プログラム（本発明のプログラムの一例）９６に従って処理を実行する。制御プログラム９６は、スキャン処理を実行するためのプログラムである。なお、記憶部６４は、ＲＡＭ、ＲＯＭ、フラッシュメモリー、ＨＤＤ、ＣＰＵ５２が備えるバッファなどが組み合わされて構成されている。また、記憶部６４は、データ記憶領域９８を備える。データ記憶領域９８は、読取装置６８が出力した画像データ、その画像データを元に作成される画像ファイル、制御プログラム９６の実行に必要なデータなどを記憶する領域である。
【００２５】
＜スキャナによるスキャン処理＞
通信システム１では、スキャナ５０の選択ボタン８６，８８，９０の操作により送信される画像ファイルの送信先が、ＰＣ１０によって設定される。以下に、選択ボタン８６，８８，９０の送信先をＰＣ１０によって設定する手法について、図３に示すシーケンス図を用いて、詳しく説明する。
【００２６】
まず、ＰＣ１０は、スキャナ５０にログインするために必要な情報を入力するための画面（以下、「ログイン画面」と記載する場合がある）の画面データを、ＰＣ１０に送る旨の要求をスキャナ５０に無線通信４０を介して送信する（Ｍ１００）。スキャナ５０は、ログイン画面の画面データの送信要求に対する返信として、ＰＣ１０にログイン画面の画面データを、無線通信４０を介して送信する（Ｍ１０２）。
【００２７】
ＰＣ１０は、ログイン画面の画面データを受信すると、その画面データに基づく画像、具体的には、図４に示すログイン画面１００を、パネル１８に表示する。ログイン画面１００がパネル１８に表示されると、ユーザは、ログイン情報、具体的には、ユーザ名及び、パスワードを入力する（Ｍ１０４）。ログイン情報が入力されると、ＰＣ１０は、ログイン情報をスキャナ５０に、無線通信４０を介して送信するとともに、選択ボタン８６，８８，９０の操作により送信される画像ファイルの送信先を設定するための画面（以下、「宛先設定画面」と記載する場合がある）の画面データを、ＰＣ１０に送る旨の要求をスキャナ５０に無線通信４０を介して送信する（Ｍ１０６）。
【００２８】
スキャナ５０は、宛先設定画面の画面データの送信要求に対する返信として、ＰＣ１０に宛先設定画面の画面データを、無線通信４０を介して送信する（Ｍ１０８）。ＰＣ１０は、宛先設定画面の画面データを受信すると、その画面データに基づく画面、具体的には、図５に示す宛先設定画面１０２を、パネル１８に表示する。宛先設定画面１０２には、選択ボタン８６，８８，９０の各々に対応して、「動作分類」、「宛先」、「ユーザ名」、「パスワード」の入力欄が表示される。なお、宛先設定画面１０２でのボタンＡは選択ボタン８６を、ボタンＢは選択ボタン８８を、ボタンＣは、選択ボタン９０を、それぞれ、示している。
【００２９】
「動作分類」の入力欄には、「ｐｕｓｈ  ｓｃａｎ」若しくは、「ｕｓｂ」が入力される。「動作分類」の入力欄に「ｐｕｓｈ  ｓｃａｎ」が入力された場合には、選択ボタンが操作されたことを条件として、操作された選択ボタンに対応して設定されているＰＣ１０等の外部装置に、画像ファイルを送信するスキャン処理（以下、「プッシュスキャン処理」と記載する場合が）が実行される。つまり、選択ボタン８６、若しくは、選択ボタン８８が操作された場合には、プッシュスキャン処理が実行される。また、「動作分類」の入力欄に「ｕｓｂ」が入力された場合には、選択ボタンが操作されたことを条件として、ＵＳＢメモリ８０、若しくは、ＵＳＢケーブル８２に接続されている外部装置、つまり、ＰＣ１１に画像ファイルを送信するスキャン処理（以下、「ＵＳＢスキャン処理」と記載する場合が）が実行される。つまり、選択ボタン９０が操作された場合には、ＵＳＢスキャン処理が実行される。
【００３０】
「宛先」の入力欄には、プッシュスキャン処理時の画像ファイルの送信先を識別するための情報、具体的には、ＩＰアドレス（本発明の識別情報の一例）が入力される。なお、ボタンＡに対応する「宛先」の入力欄には、ＰＣ１０のＩＰアドレスが入力され、ボタンＢに対応する「宛先」の入力欄には、ＰＣ１１のＩＰアドレスが入力されている。つまり、選択ボタン８６が操作された場合には、プッシュスキャン処理の実行により、画像ファイルがＰＣ１０に送信され、選択ボタン８８が操作された場合には、プッシュスキャン処理の実行により、画像ファイルがＰＣ１１に送信される。また、ボタンＣは、ＵＳＢスキャン処理を実行するための選択ボタン９０であるため、ボタンＣに対応する「宛先」の入力欄は、空欄となっている。
【００３１】
「ユーザ名」及び「パスワード」の入力欄には、プッシュスキャン処理時の画像ファイルの送信先と、データ通信を行う際に必要な情報が入力される。つまり、ボタンＡに対応する「ユーザ名」及び「パスワード」の入力欄には、ＰＣ１０とデータ通信を行う際に必要な情報が入力され、ボタンＢに対応する「ユーザ名」及び「パスワード」の入力欄には、ＰＣ１１とデータ通信を行う際に必要な情報が入力される。なお、ボタンＣは、ＵＳＢスキャン処理を実行するための選択ボタン９０であるため、ボタンＣに対応する「ユーザ名」及び「パスワード」の入力欄は、空欄となっている。
【００３２】
宛先設定画面１０２への各種情報の入力が終了すると、ＰＣ１０は、宛先設定画面１０２に入力された情報（以下、「宛先情報」と記載する場合がある）をスキャナ５０に、無線通信４０を介して送信する（Ｍ１１２）。スキャナ５０は、宛先情報を受信すると、宛先情報をデータ記憶領域９８に記憶する（Ｍ１１４）。さらに、スキャナ５０は、ＰＣ１０のＩＰアドレスを、データ記憶領域９８に記憶されている許可リストに追加する（Ｍ１１６）。なお、許可リストについては、後程、詳しく説明する。
【００３３】
スキャナ５０の選択ボタン８６，８８，９０の操作により送信される画像ファイルの送信先が、ＰＣ１０によって設定され、選択ボタン８６，８８，９０の何れかのボタンがユーザにより操作されると、選択されたボタンに応じたスキャン処理が実行される。詳しくは、何れかの選択ボタン８６，８８，９０が操作されると、原稿が読取装置６８によって読み取られ、アナログ形式の読取信号をＡＤ変換して得られたデジタル形式のデータが記憶部６４のデータ記憶領域９８に記憶される。ＣＰＵ６２は、記憶領域９８に記憶されデジタル形式のデータ（すなわち画像データ）に基づきその画像ファイルを生成する。そして、選択ボタン８６，８８，９０に応じた送信先に画像ファイルを送信する。つまり、選択ボタン８６が操作された場合には、画像ファイルがＰＣ１０に送信され、選択ボタン８８が操作された場合には、画像ファイルがＰＣ１１に送信され、選択ボタン９０が操作された場合には、画像ファイルがＵＳＢメモリ８０、若しくは、ＵＳＢケーブル８２を介してＰＣ１１に送信される。
【００３４】
このように、スキャナ５０では、選択ボタン８６，８８，９０を操作するだけで、原稿の読み取りを行うとともに、原稿の読み取りによって生成された画像ファイルを、任意のＰＣ１０、１１若しくは、ＵＳＢメモリ８０に送信することが可能となっており、操作性に優れている。ただし、スキャナ５０には、パネル等の表示装置がないため、ユーザの意図しない送信先に画像ファイルが送信される虞がある。
【００３５】
例えば、表示装置を有するスキャナであれば、選択ボタン８６の操作により、画像ファイルがＰＣ１０に送信される等の情報を、表示装置に表示し、ユーザは、その情報を確認し、選択ボタン８６，８８，９０の何れかのボタンを操作することが可能である。しかしながら、スキャナ５０には、表示装置がないため、ユーザは、自身の記憶を頼りに、選択ボタン８６，８８，９０の何れかのボタンを操作する。このため、ユーザの記憶違い等により、本来の送信先に対応する選択ボタンと異なる選択ボタンが操作され、意図しない送信先に画像ファイルが送信される虞がある。つまり、例えば、ユーザはＰＣ１０に画像ファイルを送信するつもりで、選択ボタン８８を操作し、画像ファイルが、ＰＣ１１に誤送信される虞がある。特に、スキャナ５０では、上述したように、クレジットカード，免許証等の画像の読取が可能であるため、画像ファイルの誤送信により、クレジットカード，免許書等の非常に機密性の高い情報が漏えいする虞がある。
【００３６】
このようなことに鑑みて、スキャナ５０では、機密性の高い情報が含まれている可能性のある原稿のスキャン処理時には、画像ファイルにパスワードが付与される。ただし、信頼性の高い送信先には、機密性の高い情報が含まれている可能性のある原稿の画像ファイルであっても、パスワードが付与されることなく、送信される。具体的には、第２挿入口６０からは、上述したように、名刺サイズ以下の原稿が挿入され、プラスチック製の原稿であっても、読み取り可能である。つまり、第２挿入口６０から挿入される原稿に、機密性の高い情報が含まれている可能性が高い。このため、第２挿入口６０から挿入された原稿の画像ファイルにパスワードが付与される。なお、第２挿入口６０から挿入された原稿であるか否かの判定は、原稿検出センサ７０によって行われる。
【００３７】
また、画像ファイルにパスワードを付与とは、画像ファイルを開くこと、及びその画像ファイルが含む画像を印刷する際にパスワードを求めるよう、画像ファイルに設定すること。より具体的には、画像ファイルのヘッダ領域に設定することである。本実施形態では、画像ファイルはＰＤＦ形式であり、ファイルを開くとき、及びファイルが含む画像データに基づき印刷するときにはパスワードの入力が要求されるようになっている。パスワードが設定可能であればファイル形式はＰＤＦである必要はない。
【００３８】
ただし、画像ファイルがＵＳＢメモリ８０、若しくは、ＵＳＢケーブル８２を介してＰＣ１１に送信される場合、つまり、ＵＳＢスキャン処理時には、ユーザが、ＵＳＢホストＩ／Ｆ７２にＵＳＢメモリ８０を装着、若しくは、ＵＳＢファンクションＩ／Ｆ７４に接続されたＵＳＢケーブル８２をＰＣ１１に接続しており、画像ファイルが、ＵＳＢメモリ８０、若しくは、ＵＳＢケーブル８２を介してＰＣ１１に画像ファイルが誤送信されても、機密性の高い情報が、他人に漏洩する虞は殆ど無い。このため、ＵＳＢスキャン処理時において、第２挿入口６０から挿入された原稿の画像ファイルには、パスワードが付与されない。
【００３９】
また、スキャナ５０の選択ボタン８６，８８，９０の操作により送信される画像ファイルの送信先は、通常、スキャナ５０のユーザが設定する。つまり、選択ボタン８６，８８，９０の送信先を設定した外部装置、具体的には、ＰＣ１０は、スキャナ５０のユーザが使用している可能性が高い。このため、例えば、スキャナ５０のユーザが、ＰＣ１１に画像ファイルを送信するつもりで、選択ボタン８６を誤操作した場合であっても、画像ファイルは、スキャナ５０のユーザが使用するＰＣ１０に送信される。つまり、プッシュスキャン処理時に、画像ファイルがＰＣ１０に誤送信されても、機密性の高い情報が、他人に漏洩する虞は低い。このため、プッシュスキャン処理時において、画像ファイルの送信先が、選択ボタン８６，８８，９０の送信先を設定した外部装置である場合には、第２挿入口６０から挿入された原稿の画像ファイルに、パスワードが付与されない。
【００４０】
なお、プッシュスキャン処理時において、画像ファイルの送信先が、選択ボタン８６，８８，９０の送信先を設定した外部装置であるか否かの判定は、許可リストに基づいて行われる。詳しくは、許可リストは、データ記憶領域９８に記憶されており、選択ボタン８６，８８，９０の送信先が設定された際に、上述したように、選択ボタン８６，８８，９０の送信先を設定した外部装置、つまり、ＰＣ１０のＩＰアドレスが許可リストに追加されている。このため、第２挿入口６０から原稿が挿入され、プッシュスキャン処理が実行される際には、送信先の外部装置のＩＰアドレスと、許可リストのＩＰアドレスとが比較される。そして、送信先の外部装置のＩＰアドレスと、許可リストのＩＰアドレスとが一致した場合には、画像ファイルの送信先が、選択ボタン８６，８８，９０の送信先を設定した外部装置であると判断され、第２挿入口６０から挿入された原稿の画像ファイルに、パスワードは付与されない。
【００４１】
また、スキャン処理時に画像ファイルの送信が複数回行われている外部装置は、スキャナ５０のユーザが複数回、使用していると想定されることから、その外部装置に、画像ファイルが誤送信された場合であっても、機密性の高い情報が、他人に漏洩する虞は低いと考えられる。このため、画像ファイルの送信先が、スキャン処理時に画像ファイルの送信が複数回行われている外部装置である場合には、第２挿入口６０から挿入された原稿の画像ファイルに、パスワードは付与されない。
【００４２】
具体的には、例えば、ＰＣ１１は、選択ボタン８６，８８，９０の送信先を設定した外部装置でないため、ＰＣ１１のＩＰアドレスは、許可リストにない。このため、選択ボタン８８がユーザにより操作され、プッシュスキャン処理の対象が第２挿入口６０から挿入された原稿である場合には、その原稿の画像ファイルにパスワードが付与される。しかしながら、選択ボタン８８の操作によるプッシュスキャン処理等が行われ、ＰＣ１１への画像ファイルの送信が設定回数、行われた際には、ＰＣ１１のＩＰアドレスが、許可リストに追加される。これにより、画像ファイルの送信先が、スキャン処理時に画像ファイルの送信が複数回行われている外部装置である場合には、第２挿入口６０から挿入された原稿の画像ファイルに、パスワードは付与されない。
【００４３】
このようにして、パスワードが付与された画像ファイル若しくは、パスワードが付与されていない画像ファイルが生成される。そして、生成された画像ファイルが、ユーザにより操作された選択ボタンに応じた外部装置に送信される。以下に、機密性の高い情報が含まれている可能性のある原稿のスキャン処理について、図６に示すシーケンス図を用いて、詳しく説明する。
【００４４】
まず、スキャナ５０の第２挿入口６０に原稿が挿入される（Ｍ２００）。そして、ユーザにより選択ボタンが操作される（Ｍ２０２）。続いて、第２挿入口６０に挿入された原稿が、読取装置６８によって読み取られる（Ｍ２０４）。次に、ＣＰＵ６２では、操作された選択ボタンに応じた外部装置のＩＰアドレスと、許可リストのＩＰアドレスとが比較される（Ｍ２０６）。
【００４５】
操作された選択ボタンに応じた外部装置のＩＰアドレスと、許可リストのＩＰアドレスとが一致する場合、つまり、操作された選択ボタンに応じた外部装置のＩＰアドレスが許可リストにある場合には、パスワードが付与されていない画像ファイルが生成される（Ｍ２０８）。一方、操作された選択ボタンに応じた外部装置のＩＰアドレスと、許可リストのＩＰアドレスとが一致しない場合、つまり、操作された選択ボタンに応じた外部装置のＩＰアドレスが許可リストに無い場合には、パスワードが付与された画像ファイルが生成される（Ｍ２０８）。
【００４６】
画像ファイルが生成されると、スキャナ５０は、画像ファイルをＰＣ１０若しくは、ＰＣ１１に送信してもよいか否かの確認を、ＰＣ１０若しくは、ＰＣ１１に無線通信４０を介して送信する（Ｍ２１０）。ＰＣ１０若しくは、ＰＣ１１は、画像ファイルの送信確認に対する返信として、画像ファイルのＰＣ１０若しくは、ＰＣ１１への送信を許容する旨を、無線通信４０を介してスキャナ５０に送信する（Ｍ２１２）。そして、スキャナ５０は、画像ファイルの送信許容に対する返信として、画像ファイルをＰＣ１０若しくは、ＰＣ１１に、無線通信４０を介して送信する（Ｍ２１４）。
【００４７】
また、スキャナ５０では、プッシュスキャン処理および、ＵＳＢスキャン処理と異なるスキャン処理を行うことが可能である。具体的には、ＰＣ１０等からスキャン処理の指令が、無線通信４０を介して送信されたことを条件として、スキャン処理の指令を送信してきたＰＣ１０等に、画像ファイルを送信するスキャン処理（以下、「プルスキャン処理」と記載する場合が）が実行される。プルスキャン処理では、スキャナ５０でのユーザ操作は無く、画像ファイルの送信先は、スキャン処理指令を送信してきた外部装置である。つまり、プルスキャン処理時において、画像ファイルの誤送信が発生する虞は無いため、第２挿入口６０から挿入された原稿の画像ファイルに、パスワードは付与されない。
【００４８】
また、スキャナ５０にプルスキャン処理の指令を送信する外部装置は、当然、スキャナ５０のユーザが使用する装置である。つまり、スキャナ５０にプルスキャン処理の指令を送信した外部装置に、画像ファイルが誤送信された場合であっても、機密性の高い情報が、他人に漏洩する虞は低い。このため、スキャナ５０にプルスキャン処理の指令を送信した外部装置のＩＰアドレスが、プルスキャン処理後に、許可リストに追加される。これにより、画像ファイルの送信先が、スキャナ５０にプルスキャン処理の指令を送信したことのある外部装置である場合には、第２挿入口６０から挿入された原稿の画像ファイルに、パスワードは付与されない。
【００４９】
以下に、プルスキャン処理について、図７に示すシーケンス図を用いて、詳しく説明する。まず、ＰＣ１０若しくは、ＰＣ１１が、プルスキャン処理の指令を、無線通信４０を介してスキャナ５０に送信する（Ｍ３００）。スキャナ５０は、プルスキャン処理の指令を受信すると、読取装置６８によって原稿を読み取る（Ｍ３０２）。そして、パスワードが付与されていない画像ファイルが生成される（Ｍ３０４）。
【００５０】
画像ファイルが生成されると、スキャナ５０は、画像ファイルをＰＣ１０若しくは、ＰＣ１１に送信してもよいか否かの確認を、ＰＣ１０若しくは、ＰＣ１１に無線通信４０を介して送信する（Ｍ３０６）。ＰＣ１０若しくは、ＰＣ１１は、画像ファイルの送信確認に対する返信として、画像ファイルのＰＣ１０若しくは、ＰＣ１１への送信を許容する旨を、無線通信４０を介してスキャナ５０に送信する（Ｍ３０８）。
【００５１】
そして、スキャナ５０は、画像ファイルの送信許容に対する返信として、画像ファイルをＰＣ１０若しくは、ＰＣ１１に、無線通信４０を介して送信する（Ｍ３１０）。さらに、スキャナ５０は、ＰＣ１０若しくは、ＰＣ１１のＩＰアドレスを、データ記憶領域９８に記憶されている許可リストに追加する（Ｍ３１２）。
【００５２】
＜制御プログラム＞
上述したプッシュスキャン処理、プルスキャン処理、ＵＳＢスキャン処理は、スキャナ５０のＣＰＵ６２において制御プログラム９６が実行されることによって行われる。以下に、図８及び図９を用いて、スキャナ５０のＣＰＵ６２で制御プログラム９６が実行される際のフローを説明する。
【００５３】
制御プログラム９６では、まず、ＰＣ１０等の外部装置からプルスキャン処理の指令を受信したか否かが、ＣＰＵ６２によって判断される（ステップ（以下、「Ｓ」と略す）１００）。外部装置からプルスキャン処理の指令を受信していない場合（Ｓ１００のＮＯ）には、選択ボタン８６，８８，９０が操作されたか否かが、ＣＰＵ６２によって判断される（Ｓ１０２）。選択ボタン８６，８８，９０が操作されていない場合（Ｓ１０２のＮＯ）には、Ｓ１００に戻る。
【００５４】
一方、選択ボタン８６，８８，９０が操作された場合（Ｓ１０２のＹＥＳ）には、画像ファイルの送信先が、ローカルケーブルにより接続された機器、若しくは、ＵＳＢメモリ８０であるかが、ＣＰＵ６２によって判断される（Ｓ１０４）。つまり、画像ファイルが、ＵＳＢメモリ８０に送信されるか否か、若しくは、ＵＳＢケーブル８２を介して、ＰＣ１１に送信されるか否かが、ＣＰＵ６２によって判断される。画像ファイルが、ＵＳＢメモリ８０若しくは、ＵＳＢケーブル８２を介してＰＣ１１に送信されない場合（Ｓ１０４のＮＯ）には、第２挿入口６０に原稿が挿入されたか否かが、ＣＰＵ６２によって判断される（Ｓ１０６）。つまり、原稿検出センサ７０によって原稿が検出されたか否かが、ＣＰＵ６２によって判断される。
【００５５】
第２挿入口６０に原稿が挿入されている場合（Ｓ１０６のＹＥＳ）には、送信先のＩＰアドレスが許可リストにあるか否かが、ＣＰＵ６２によって判断される（Ｓ１０８）。送信先のＩＰアドレスが許可リストにない場合（Ｓ１０８のＮＯ）には、原稿が読取装置６８によって読み取られ、読取信号に基づいてパスワード付の画像ファイルが生成される（Ｓ１１０）。そして、生成された画像ファイルが、ＰＣ１０等の外部装置に送信される（Ｓ１１２）。
【００５６】
次に、送信回数Ｃに１が加算される（Ｓ１１４）。そして、送信回数Ｃが設定回数Ａ以上であるか否かが、ＣＰＵ６２によって判断される（Ｓ１１６）。送信回数Ｃが設定回数Ａ以上である場合（Ｓ１１６のＹＥＳ）には、許可リストに送信先のＰＣのＩＰアドレスが登録される（Ｓ１１８）。以上の処理により、制御プログラム９６が終了する。一方、送信回数Ｃが設定回数Ａ未満である場合（Ｓ１１６のＮＯ）には、Ｓ１１８の処理がスキップされ、制御プログラム９６が終了する。
【００５７】
また、Ｓ１００で外部装置からプルスキャン処理の指令を受信している場合（Ｓ１００のＹＥＳ）には、プルスキャン処理の指令を送信してきたＩＰアドレスが、許可リストに登録される（Ｓ１２０）。続いて、原稿が読取装置６８によって読み取られ、読取信号に基づいてパスワード無しの画像ファイルが生成される（Ｓ１２２）。そして、Ｓ１１２以降の処理が行われる。
【００５８】
また、Ｓ１０４で画像ファイルが、ＵＳＢメモリ８０若しくは、ＵＳＢケーブル８２を介してＰＣ１１に送信される場合（Ｓ１０４のＹＥＳ）には、原稿が読取装置６８によって読み取られ、読取信号に基づいてパスワード無しの画像ファイルが生成される（Ｓ１２２）。そして、Ｓ１１２以降の処理が行われる。
【００５９】
また、Ｓ１０６で第２挿入口６０に原稿が挿入されていない場合（Ｓ１０６のＮＯ）、つまり、第１挿入口５８に原稿が挿入された場合には、第１挿入口５８から挿入された原稿が読取装置６８によって読み取られ、読取信号に基づいてパスワード無しの画像ファイルが生成される（Ｓ１２２）。そして、Ｓ１１２以降の処理が行われる。
【００６０】
また、Ｓ１０８で送信先のＩＰアドレスが許可リストにある場合（Ｓ１０８のＹＥＳ）には、原稿が読取装置６８によって読み取られ、読取信号に基づいてパスワード無しの画像ファイルが生成される（Ｓ１２２）。そして、Ｓ１１２以降の処理が行われる。
【００６１】
＜ＣＰＵの機能構成＞
上述したシーケンス及び制御プログラム９６を実行するＣＰＵ６２は、それの実行処理に鑑みれば、図１に示すような機能構成を有するものと考えることができる。図から解るように、ＣＰＵ６２は、画像ファイル生成手段１１０と、画像ファイル送信手段１１２と、原稿寸法判断手段１１４と、記憶制御手段１１６と、識別情報受信手段１１８とを有している。  
【００６２】
画像ファイル生成手段１１０は、上記制御プログラム９６のＳ１１０、Ｓ１２２の処理を実行する機能部である。画像ファイル送信手段１１２は、上記制御プログラム９６のＳ１１２の処理を実行する機能部である。原稿寸法判断手段１１４は、上記制御プログラム９６のＳ１０６の処理を実行する機能部である。記憶制御手段１１６は、上記シーケンスのＭ１１６の処理を実行する機能部である。識別情報受信手段１１８は、上記シーケンスのＭ１００の処理を実行する機能部である。
【００６３】
なお、本発明は、上記実施形態に限定されるものではなく、当業者の知識に基づいて種々の変更、改良を施した種々の態様で実施することが可能である。具体的には、例えば、上記実施形態では、名刺サイズ以下の原稿のみが挿入可能な第２挿入口６０に原稿検出センサ７０が設けられ、原稿検出センサ７０によって原稿が検出された場合に、その原稿のサイズが名刺サイズ以下であると判断されているが、種々の手法により、原稿のサイズを判断することが可能である。例えば、フラットベットに載置された原稿を読み取り、読取信号から画像データを生成し、その画像データに基づいて、原稿のサイズを判断することが可能である。
【００６４】
また、上記実施形態では、パネル等の表示装置を備えていないスキャナ５０に、本発明が適用されているが、表示装置を備えたスキャナに、本発明を適用することが可能である。これは、表示装置がある場合であっても、ユーザのボタンの押し間違い等により、画像ファイルの誤送信が発生するためである。
【００６５】
また、上記実施形態では、イメージセンサ７９が、第１挿入口５８から挿入された原稿の搬送経路、及び、第２挿入口６０から挿入された原稿の搬送経路に配設されているが、第１挿入口５８から挿入された原稿の搬送経路と、第２挿入口６０から挿入された原稿の搬送経路との各々に、イメージセンサを配設することが可能である。つまり、第１挿入口５８から挿入された原稿の搬送経路用のイメージセンサと、第２挿入口６０から挿入された原稿の搬送経路用のイメージセンサとを配設することが可能である。
【００６６】
また、上記実施形態では、ＣＰＵ６２によって図８及び図９に示す処理が実行される例を説明したが、これら処理は、ＣＰＵ６２に限らず、ＡＳＩＣや他の論理集積回路により実行されてもよいし、これら処理が、ＣＰＵ６２やＡＳＩＣ、他の論理集積回路が協働することにより実行されてもよい。
【符号の説明】
【００６７】
１０：ＰＣ（外部装置）
１１：ＰＣ（外部装置）
５０：スキャナ（スキャン装置）
５８：第１挿入口（第１搬送経路）
６０：第２挿入口（第２搬送経路）
６２：ＣＰＵ（制御装置）（コンピュータ）
６６：ボタン入力部（操作部）
６８：読取装置
７６：無線ＬＡＮＩ／Ｆ（通信部）
７９：イメージセンサ（読取素子）
８６：選択ボタン（操作ボタン）
８８：選択ボタン（操作ボタン）
９０：選択ボタン（操作ボタン）
９６：制御プログラム（プログラム）
９８：データ記憶領域（記憶部）
１１０：画像ファイル生成手段
１１２：画像ファイル送信手段
１１４：原稿寸法判断手段
１１６：記憶制御手段
１１８：識別情報受信手段
【図１】
2015070493.tif 000003
【図２】
2015070493.tif 000004
【図３】
2015070493.tif 000005
【図４】
2015070493.tif 000006
【図５】
2015070493.tif 000007
【図６】
2015070493.tif 000008
【図７】
2015070493.tif 000009
【図８】
2015070493.tif 000010
【図９】
2015070493.tif 000011